(57)【要約】  本発明は剃毛かみそりシステム１０を目的とする。剃毛かみそりシステムは、ハンドル１２と、取り外し可能なかみそりカートリッジ３０とを有する。ハンドルは、近位端部１６と、遠位端部１８と、近位端部に一体化されている少なくとも１つの磁気ハンドル要素２０とを有する。取り外し可能なかみそりカートリッジは、ハウジング３２と、ガード３４と、キャップ３６と、少なくとも１つの刃３８と、少なくとも１つの磁気カートリッジ要素４０とを有する。その少なくとも１つの磁気カートリッジ要素は少なくとも１つの磁気ハンドル要素と着脱自在に係合されて、取り外し可能なかみそりカートリッジをハンドルの近位端部に対して、旋回可能な関係で交換可能に固定する。
2017531513.tif 000002
【特許請求の範囲】
【請求項１】
剃毛かみそりシステム（１０）であって、
ハンドル（１２）であって、近位端部（１６）と、遠位端部（１８）と、前記近位端部（１６）に一体化されている少なくとも１つの磁気ハンドル要素（２０）と、を含む、ハンドル（１２）と、
取り外し可能なかみそりカートリッジ（３０）であって、ハウジング（３２）と、ガード（３４）と、キャップ（３６）と、少なくとも１つの刃（３８）と、少なくとも１つの磁気カートリッジ要素（４０）と、を含む、取り外し可能なかみそりカートリッジ（３０）と、を含み、
前記少なくとも１つの磁気カートリッジ要素（４０）が前記少なくとも１つの磁気ハンドル要素（２０）と着脱自在に係合されて、前記取り外し可能なかみそりカートリッジ（３０）を前記ハンドル（１２）の前記近位端部（１６）に、旋回可能な関係で交換可能に固定する、剃毛かみそりシステム（１０）。
【請求項２】
前記少なくとも１つの磁気ハンドル要素（２０）が、永久磁石、双極子磁石、電磁石、強磁性体、着磁された強磁性体、Ｎ極、Ｓ極、又はこれらの任意の組み合わせを含む、請求項１に記載の剃毛かみそりシステム（１０）。
【請求項３】
前記少なくとも１つの磁気カートリッジ要素（４０）が、永久磁石、双極子磁石、電磁石、強磁性体、着磁された強磁性体、Ｎ極、Ｓ極、又はこれらの任意の組み合わせを含む、請求項１又は２に記載の剃毛かみそりシステム（１０）。
【請求項４】
前記ハンドル（１２）が、第１の磁気ハンドル要素（２２）と、第２の磁気ハンドル要素（２４）とを含む、請求項１〜３のいずれか一項に記載の剃毛かみそりシステム（１０）。
【請求項５】
前記取り外し可能なかみそりカートリッジが、第１の磁気カートリッジ要素（４２）と、第２の磁気カートリッジ要素（４４）とを含む、請求項１〜４のいずれか一項に記載の剃毛かみそりシステム（１０）。
【請求項６】
前記少なくとも１つの磁気ハンドル要素（２０）が、鉄、ニッケル、アルミニウム、コバルト、ホウ素、アルニコ、フェライト、ガドリニウム、ジスプロシウム、サマリウム、サマリウム−コバルト、ネオジミウム−鉄−ホウ素、これらの任意の合金、これらの任意のセラミック、又はこれらの任意の組み合わせのうちの少なくとも１つを含む、請求項１〜５のいずれか一項に記載の剃毛かみそりシステム（１０）。
【請求項７】
前記少なくとも１つの磁気カートリッジ要素（４０）が、鉄、ニッケル、アルミニウム、コバルト、ホウ素、アルニコ、フェライト、ガドリニウム、ジスプロシウム、サマリウム、サマリウム−コバルト、ネオジミウム−鉄−ホウ素、これらの任意の合金、これらの任意のセラミック、又はこれらの任意の組み合わせのうちの少なくとも１つを含む、請求項１〜６のいずれか一項に記載の剃毛かみそりシステム（１０）。
【請求項８】
前記少なくとも１つの磁気ハンドル要素（２０）が、電気的な取り外し、機械的な取り外し、又はこれらの任意の組み合わせによって前記少なくとも１つの磁気カートリッジ要素（４０）から取り外される、請求項１〜７のいずれか一項に記載の剃毛かみそりシステム（１０）。
【請求項９】
前記少なくとも１つの磁気ハンドル要素（２０）が、曲面、平面、又はこれらの任意の組み合わせを含む、請求項１〜８のいずれか一項に記載の剃毛かみそりシステム（１０）。
【請求項１０】
前記少なくとも１つの磁気ハンドル要素（２０）が、球体、楕円体、円筒体、又はこれらの任意の組み合わせを含む、請求項１〜９のいずれか一項に記載の剃毛かみそりシステム（１０）。
【請求項１１】
前記少なくとも１つの磁気カートリッジ要素（４０）が、曲面、平面、又はこれらの任意の組み合わせを含む、請求項１〜１０のいずれか一項に記載の剃毛かみそりシステム（１０）。
【請求項１２】
前記少なくとも１つの磁気カートリッジ要素（４０）が、球体、楕円体、円筒体、又はこれらの任意の組み合わせを含む、請求項１〜１１のいずれか一項に記載の剃毛かみそりシステム（１０）。
【請求項１３】
前記少なくとも１つの磁気カートリッジ要素（４０）が、前記取り外し可能なかみそりカートリッジ（３０）と一体である、請求項１〜１２のいずれか一項に記載の剃毛かみそりシステム（１０）。
【発明の詳細な説明】
【技術分野】
【０００１】
本発明は剃毛かみそりシステムに関し、より詳細には、少なくとも１つの磁気要素を含む剃毛かみそりシステムに関する。
【背景技術】
【０００２】
今日入手可能なたいていの湿式剃毛システムは、ハンドルに取り付ける取り外し可能なかみそりカートリッジを使用する。取り外し可能なかみそりカートリッジ内の刃の切れ味が悪くなった後、取り外し可能なかみそりカートリッジは廃棄されることができ、新しい取り外し可能なかみそりカートリッジをハンドルに取り付けることができる。取り外し可能なかみそりカートリッジをハンドルに取り付けるために様々な技術が用いられてきた。１つの例としては、ハンドル上にカートリッジを所望の角度で固定するための、ハンドルと取り外し可能なかみそりカートリッジとの間のダブテール連結構成が挙げられる。加えて、一部の技術は、取り外し可能なかみそりカートリッジが主軸線の周りを制御された方法で旋回することが可能になるような方法で、取り外し可能なかみそりカートリッジをハンドルに取り付けることを含む。取り外し可能なかみそりカートリッジを旋回可能に取り付けることにより、取り外し可能なかみそりカートリッジ内に装着された刃が、ハンドルの向きに関係なく、皮膚面の輪郭をなぞることが可能になる。取り外し可能なかみそりカートリッジは、複数の制限の間で旋回可能であってもよく、通常は、ハンドルに対して好ましい中立角度位置に向かって付勢される。更に、取り外し可能なかみそりカートリッジをハンドルに固定するための一時的な機械的インターロックに依存する他の設計が開発されている。このような構成は、外観がかなり嵩高であり、製造及び組立てのコストが高い。また、ユーザーが取り外し可能なかみそりカートリッジをかみそりハンドルに不適切に接続するかもしれないという、安全性及び性能に関する懸念が存在する。ユーザーは、例えば、取り外し可能なかみそりカートリッジとかみそりハンドルとの接続を逆方向にしてしまう可能性がある。そのような配置により、少なくとも、劣った剃毛体験となる場合があり、最悪の場合、ユーザーが怪我をする可能性がある。
【発明の概要】
【発明が解決しようとする課題】
【０００３】
迅速、容易、直感的、かつ安全にハンドルに取り付けることができる取り外し可能なかみそりカートリッジを提供することが求められている。加えて、旋回可能なだけでなく、製造及び組み立てが複雑でなくかつ低コストである取り外し可能なかみそりカートリッジを提供することが求められている。
【課題を解決するための手段】
【０００４】
一実施形態では、本発明は剃毛かみそりシステムを目的とする。本剃毛かみそりシステムは、ハンドルと、取り外し可能なかみそりカートリッジとを含む。そのハンドルは、近位端部と、遠位端部と、近位端部に一体化されている少なくとも１つの磁気ハンドル要素とを有する。その取り外し可能なかみそりカートリッジは、ハウジングと、ガードと、キャップと、少なくとも１つの刃と、少なくとも１つの磁気カートリッジ要素とを有する。その少なくとも１つの磁気カートリッジ要素は少なくとも１つの磁気ハンドル要素と着脱自在に係合されて、取り外し可能なかみそりカートリッジをハンドルの近位端部に対して、旋回可能な関係で交換可能に固定する。
【図面の簡単な説明】
【０００５】
本発明の１つ以上の実施形態の詳細を、添付図面及び以下の説明に記載する。ある特定の実施形態は、本明細書で別途に明記しない限り、概して開示されているが、組み合わされて明示的に例示又は請求されない本発明の要素又は構成部品を組み合わせることができることが理解される。本発明の他の特徴及び利点は、説明及び図面、並びに特許請求の範囲から明らかになるだろう。
【図１】少なくとも１つの磁気要素を含む剃毛かみそりシステムの実施形態の斜視図である。
【図２】図１に示されている少なくとも１つの磁気要素を含む剃毛かみそりシステムの実施形態の別の斜視図である。
【図３】少なくとも１つの磁気要素を含む剃毛かみそりシステムの別の実施形態の斜視図である。
【図４】少なくとも１つの磁気要素を含む剃毛かみそりシステムの別の実施形態の斜視図である。
【図５】少なくとも１つの磁気要素を含む剃毛かみそりシステムの別の実施形態の斜視図である。
【図６】少なくとも１つの磁気要素を含む剃毛かみそりシステムの別の実施形態の斜視図である。
【発明を実施するための形態】
【０００６】
剃毛かみそりシステムは、ハンドルと、取り外し可能なかみそりカートリッジとを含むことができる。ハンドルは、近位端部と、遠位端部と、少なくとも１つの磁気ハンドル要素とを含むことができる。取り外し可能なかみそりカートリッジは、ハウジングと、ガードと、キャップと、少なくとも１つの刃と、少なくとも１つの磁気カートリッジ要素とを含むことができる。少なくとも１つの磁気カートリッジ要素は少なくとも１つの磁気ハンドル要素と着脱自在に係合されて、取り外し可能なかみそりカートリッジをハンドルの近位端部に対して、旋回可能な関係で交換可能に固定することができる。取り外し可能なかみそりカートリッジは、ハンドルに対してほぼ横方向の軸線の周りで旋回することができる。取り外し可能なかみそりカートリッジは、少なくとも１つの磁気ハンドル要素の周りで旋回することができる。
【０００７】
ハンドルは、任意の好適な形状とすることができる。ハンドルは、例えば、細長い樽形であってもよく、又は起伏のある形状であってもよい。ハンドルは細長いつかみ部を含むことができる。ハンドルは、２つ以上のアームを含んでもよい。２つ以上のアームは、ハンドルの近位端に位置してもよい。２つ以上のアームは、互いに離間して配置されてもよい。ハンドルは、例えば、離間して配置されかつハンドルの近位端に位置する２つのアームを有する、細長い樽形であってもよい。ハンドルは、例えば、離間して配置されかつハンドルの近位端に位置する２つのアームを有する、起伏のある形状であってもよい。ハンドルは、任意の好適な材料から作製することができる。ハンドルは、例えば、ポリマー、エラストマー、プラスチック、熱可塑性物質、ゴム、若しくは任意の他の好適な材料、又はこれらの任意の組み合わせから作製することができる。ハンドルは、任意の好適なプロセスによって作製することができる。ハンドルは、例えば、成形、射出成形、インサート射出成形、注型成形、押出成形、任意の他の好適な方法、又はこれらの任意の組み合わせによって作製することができる。
【０００８】
ハンドルは、少なくとも１つの磁気ハンドル要素を含んでもよい。ハンドルは、例えば、１つの磁気ハンドル要素、２つの磁気ハンドル要素、３つの磁気ハンドル要素、又は任意の数の磁気ハンドル要素を含むことができる。ハンドルは、離間して配置された少なくとも２つの磁気ハンドル要素を含んでもよい。例えば、ハンドルは、離間して配置された２つの磁気ハンドル要素、離間して配置された３つの磁気要素、離間して配置された４つの磁気要素、又は離間して配置された任意の数の磁気要素を含むことができる。離間して配置された２つ以上の磁気ハンドル要素は、例えば、ハンドルの２つ以上のアーム上に配置されてもよい。
【０００９】
少なくとも１つの磁気ハンドル要素は、１つの磁気特性又は複数の磁気特性の組み合わせを示すことができる。例えば、少なくとも１つの磁気ハンドル要素は、永久磁石、双極子磁石、電磁石、強磁性体、着磁された強磁性体、Ｎ極、Ｓ極、又はこれらの任意の組み合わせを含むことができる。少なくとも１つの磁気ハンドル要素は、例えば、磁気吸引力を及ぼす磁気要素であってもよい。少なくとも１つの磁気ハンドル要素は、例えば、磁力によって吸引される磁気要素であってもよい。
【００１０】
少なくとも１つの磁気ハンドル要素は、前述した磁気特性のうちの少なくとも１つを示す任意の好適な材料とすることができる。少なくとも１つの磁気ハンドル要素は、例えば、鉄、ニッケル、アルミニウム、コバルト、ホウ素、アルニコ、フェライト、ガドリニウム、ジスプロシウム、サマリウム、サマリウム−コバルト、ネオジミウム−鉄−ホウ素、これらの任意の合金、これらの任意のセラミック、又はこれらの任意の組み合わせのうちの少なくとも１つを含むことができる。
【００１１】
少なくとも１つの磁気ハンドル要素は、任意の好適な寸法及び形状とすることができる。例えば、少なくとも１つの磁気ハンドル要素は、曲面、平面、又はこれらの任意の組み合わせを含むことができる。少なくとも１つの磁気ハンドル要素は、例えば、球体、楕円体、円筒体、四辺体、平行四辺体、矩体、正方体、棒体、又はこれらの任意の組み合わせを含む。加えて、少なくとも１つの磁気ハンドル要素はまた、剃毛環境に起因する腐食に耐えるために、（例えば、プラスチック、ゴム、又はニッケルで）めっき又はコーティングされていてもよい。
【００１２】
少なくとも１つの磁気ハンドル要素は、ハンドルに一体化されていてもよい。少なくとも１つの磁気ハンドル要素は、例えば、少なくとも１つの磁気ハンドル要素をハンドル内に共射出成形することによって、バンドルと一体化させてもよい。少なくとも１つの磁気ハンドル要素をハンドル内に組み込むために、接着、接合、結合、超音波溶接、又は機械的締結などの、他の既知の組立方法を用いることもできる。
【００１３】
取り外し可能なかみそりカートリッジの少なくとも１つの刃は、ハウジングのキャップとガードとの間に装着することができる。ガード及びキャップは、ガード及びキャップの接線方向にある剃毛面を画定してもよい。ガードは、少なくとも１つの刃に対して概ね平行に延びる中実のバーであってもよく、又は分割されたバーであってもよい。ガードは、剃毛ストローク中に皮膚を伸ばすための皮膚係合部材（例えば、複数のフィン）を、刃の前に備えていてもよい。皮膚係合部材は、例えば、ハウジングに対してインサート射出成形又は共射出成形されてもよい。接着、接合、結合、超音波溶接、又は機械的締結などの他の既知の組立方法も用いることができる。皮膚係合部材は、ハウジングよりも軟性（すなわち、低デュロメータ硬度）の材料から成形されてもよい。例えば、皮膚係合部材は、約２０、３０、又は４０から約５０、６０、又は７０までのショアＡ硬度を有してもよい。皮膚係合部材は、熱可塑性エラストマー（ＴＰＥ）又はゴムで製造されてもよく、例としては、シリコーン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えば、Ｋｒａｔｏｎ）、ポリエステルＴＰＥ（例えば、Ｈｙｔｒｅｌ）、ポリアミドＴＰＥ（Ｐｅｂａｘ）、ポリウレタンＴＰＥ、ポリオレフィン系ＴＰＥ、及びこれらＴＰＥのいずれかのブレンド（例えば、ポリエステル／ＳＥＢＳブレンド）が挙げられるが、これらに限定されない。特定の実施形態では、皮膚係合部材は、Ｋｒａｉｂｕｒｇ  ＨＴＣ  １０２８／９６、ＨＴＣ  ８８０２／３７、ＨＴＣ  ８８０２／３４、又はＨＴＣ  ８８０２／１１（ＫＲＡＩＢＵＲＧ  ＴＰＥ  ＧｍｂＨ  ＆  Ｃｏ．ＫＧ（Ｗａｌｄｋｒａｉｂｕｒｇ，Ｇｅｒｍａｎｙ））を含んでもよい。皮膚係合部材のより軟質材料は、皮膚伸張を向上させるばかりでなく、剃毛ストローク中にユーザーの皮膚に対してより快適な触感を提供することができる。より軟質の材料はまた、剃毛ストローク中のユーザーの皮膚に当たるハウジング及び／又はフィンのより硬い材料の不快な感触をなくすのに役立ち得る。
【００１４】
少なくとも１つの刃は、１つ以上のクリップによってハウジングに装着又は固定されてもよい。ワイヤラッピング、冷間成形、熱かしめ、インサート成形、超音波溶接、及び接着が挙げられるがこれらに限定されない当業者に既知のその他の組立方法を用いて、少なくとも１つの刃をハウジングに固定及び／又は装着することも可能である。クリップは、熱を伝導する、及び刃が腐食するのを防止するのを助けるための犠牲アノードとして作用する、アルミニウムなどの金属を含んでもよい。取り外し可能なかみそりカートリッジは、取り外し可能なかみそりカートリッジの所望の性能及びコストに応じて、任意の数の刃を有することができる。取り外し可能なかみそりカートリッジは、例えば、１つの刃、２つの刃、３つの刃、４つの刃、５つの刃、６つの刃、７つの刃、又は更に多くの刃を有してもよい。詳しく後述するように、刃の切れ味が悪くなった（又は損傷した）時点で、消費者は、磁気ハンドル要素から取り外し可能なかみそりカートリッジを係合離脱させ、使用済みの取り外し可能なかみそりカートリッジを新しい取り外し可能なかみそりカートリッジと取り替えることができる。
【００１５】
取り外し可能なかみそりカートリッジのキャップは、ハウジングに装着される別の成形部品又は押出成形部品であってもよい。キャップは、例えば、剃毛補助剤が充填された収容容器又は押出成形された潤滑ストリップであってもよい。キャップは、例えば、皮膚を支持しかつ剃毛面を画定するための、プラスチック又は金属製のバーであってもよい。キャップは、ハウジングと同じ材料で成形若しくは押出成形されてよく、又は剃毛ストローク中の快適さを増すために、１つ以上の水滲出性の剃毛補助剤材料を有するより潤滑性のある剃毛補助剤複合材料で成形又は押出成形されてよい。
【００１６】
剃毛補助剤複合材料は、非水溶性ポリマーと、皮膚潤滑性の水溶性ポリマーと、を含んでよい。使用可能な好適な非水溶性ポリマーは、ポリエチレン、ポリプロピレン、ポリスチレン、ブタジエン−スチレンコポリマー（例えば、中耐衝撃性ポリスチレン及び高耐衝撃性ポリスチレン）、ポリアセタール、アクリロニトリル−ブタジエン−スチレンコポリマー、エチレンビニルアセテートコポリマー、及び例えばポリプロピレン／ポリスチレンブレンドであるＭｏｂｉｌ  ４３２４（Ｍｏｂｉｌ  Ｃｏｒｐｏｒａｔｉｏｎ）などの高耐衝撃性ポリスチレン（すなわち、ポリスチレン−ブタジエン）を有してもよいなどのブレンドを含むが、これらに限定されない。好適な皮膚潤滑性水溶性ポリマーとしては、ポリエチレンオキシド、ポリビニルピロリドン、ポリアクリルアミド、ヒドロキシプロピルセルロース、ポリビニルイミダゾリン、及びポリヒドロキシエチルメタクリレートを挙げることができる。他の水溶性ポリマーとしては、一般にＰＯＬＹＯＸ（Ｕｎｉｏｎ  Ｃａｒｂｉｄｅ  Ｃｏｒｐｏｒａｔｉｏｎから入手可能）又はＡＬＫＯＸ（Ｍｅｉｓｅｉ  Ｃｈｅｍｉｃａｌ  Ｗｏｒｋｓ（Ｋｙｏｔａ，Ｊａｐａｎ）から入手可能）として知られるポリエチレンオキシドが挙げられてよい。これらのポリエチレンオキシドは、約１０万から６００万、例えば、約３０万から５００万の分子量を有してもよい。ポリエチレンオキシドは、約５００万の平均分子量を有するポリエチレンオキシド（例えば、ＰＯＬＹＯＸ  ＣＯＡＧＵＬＡＮＴ）の約４０〜８０％と、約３０万の平均分子量を有するポリエチレンオキシド（例えば、ＰＯＬＹＯＸ  ＷＳＲ−Ｎ−７５０）の約６０〜２０％とのブレンドを含んでもよい。ポリエチレンオキシドブレンドはまた、ＰＥＧ−１００などの低分子量（すなわち、１０，０００未満の分子量）のポリエチレングリコールを最大約１０重量％まで含有してもよい。
【００１７】
剃毛補助剤複合材料はまた、シクロデキストリン（cylcodextrin）、ポリエチレングリコールなどの低分子量の水溶性放出促進剤（例えば、１〜１０重量％）、架橋ポリアクリル酸などの水膨潤性放出促進剤（例えば、２〜７重量％）、着色剤、酸化防止剤、防腐剤、殺菌剤、ひげ軟化剤、収れん剤、除毛剤、薬剤、コンディショニング剤、保湿剤、冷却剤などと、皮膚鎮静剤との複合体を含んでもよい。
【００１８】
ハウジングは、取り外し可能な剃毛かみそりカートリッジをハンドルに取り付けるための少なくとも１つの磁気カートリッジ要素を含むことができる。ハウジングは、例えば、１つの磁気カートリッジ要素、２つの磁気カートリッジ要素、３つの磁気カートリッジ要素、又は任意の数の磁気カートリッジ要素を含むことができる。ハウジングは、離間して配置された少なくとも２つの磁気カートリッジ要素を含んでもよい。例えば、ハウジングは、離間して配置された２つの磁気カートリッジ要素、離間して配置された３つの磁気カートリッジ要素、離間して配置された４つの磁気カートリッジ要素、又は離間して配置された任意の数の磁気カートリッジ要素を含むことができる。離間して配置された２つ以上の磁気カートリッジ要素は、例えば、取り外し可能なかみそりカートリッジの剃毛面と反対側にあるハウジングの面に配置することができる。
【００１９】
少なくとも１つの磁気カートリッジ要素は、１つの磁気特性又は複数の磁気特性の組み合わせを示すことができる。例えば、少なくとも１つの磁気カートリッジ要素は、永久磁石、双極子磁石、電磁石、強磁性体、着磁された強磁性体、Ｎ極、Ｓ極、又はこれらの任意の組み合わせを含むことができる。少なくとも１つの磁気カートリッジ要素は、例えば、磁気吸引力を及ぼす磁気要素であってもよい。少なくとも１つの磁気カートリッジ要素は、例えば、磁力によって吸引される磁気要素であってもよい。
【００２０】
少なくとも１つの磁気カートリッジ要素は、前述した磁気特性のうちの少なくとも１つを示す任意の好適な材料とすることができる。少なくとも１つの磁気カートリッジ要素は、例えば、鉄、ニッケル、アルミニウム、コバルト、ホウ素、アルニコ、フェライト、ガドリニウム、ジスプロシウム、サマリウム、サマリウム−コバルト、ネオジミウム−鉄−ホウ素、これらの任意の合金、これらの任意のセラミック、又はこれらの任意の組み合わせのうちの少なくとも１つを含むことができる。
【００２１】
少なくとも１つの磁気カートリッジ要素は、任意の好適な寸法及び形状とすることができる。例えば、少なくとも１つの磁気カートリッジ要素は、曲面、平面、又はこれらの任意の組み合わせを含むことができる。少なくとも１つの磁気カートリッジ要素はまた、例えば、球体、楕円体、円筒体、四辺体、平行四辺体、矩体、正方体、棒体、これらの任意の組み合わせを含むことができる。加えて、少なくとも１つの磁気カートリッジ要素はまた、剃毛環境に起因する腐食に耐えるために、（例えば、プラスチック、ゴム、又はニッケルで）めっき又はコーティングされていてもよい。
【００２２】
少なくとも１つの磁気カートリッジ要素は、ハンドルの少なくとも１つの磁気ハンドル要素上の対応する面に係合するためのハンドル取り付け面を有することができる。磁気要素によって及ぼされる力の方向は、取り外し可能な剃毛かみそりカートリッジをハンドルに取り付ける又はハンドルから取り外すために加えられる力に対してほぼ横方向であってもよい。これにより、取り外し可能な剃毛かみそりカートリッジを取り付けたり取り外したりする力は、消費者が使いやすくなるように低減され得る（取り外す力に対して平行な方向に及ぼされる磁力と比較して）。加えて、取り外し可能なかみそりカートリッジを取り付ける及び／又は取り外す力は、より緩やかであってもよい。例えば、磁気要素によって及ぼされる力が取り付ける／取り外す力に対して平行な方向である場合、より急激でより大きな力が必要となり得る。更に、取り付ける力と取り外す力のバランスをとって、取り外し可能なかみそりカートリッジが、ハンドルの近位端部に関連した少なくとも１つの磁気ハンドル要素の周りで旋回できるようにすることができる。
【００２３】
取り外し可能なかみそりカートリッジは、少なくとも１つの磁気カートリッジ要素を少なくとも１つの磁気ハンドル要素と係合することによってハンドルに取り付けられてもよい。ハンドル取り付け面は、取り外し可能なかみそりカートリッジをハンドルに一時的に固定するために、少なくとも１つの磁気ハンドル要素のハウジング取付面と係合してもよい。少なくとも１つの磁気カートリッジ要素を、対応する／対向する少なくとも１つの磁気ハンドル要素と整列させて磁気吸引させてもよい。対向する磁気要素の間（例えば、少なくとも１つの磁気カートリッジ要素と少なくとも１つの磁気ハンドル要素との間）の力の方向は、少なくとも１つの磁気ハンドル要素とを、（例えば、ハンドルの細長いつかみ部に対して概ね平行であり得る）少なくとも１つの磁気カートリッジ要素と取り外したり取り付けたりするのに必要な力に対してほぼ横方向であってもよい。
【００２４】
ハンドルは、例えば、２つの磁気ハンドル要素を含んでもよい。取り外し可能なかみそりカートリッジは、例えば、２つの磁気カートリッジ要素を含んでもよい。２つの磁気ハンドル要素は磁気吸引力を及ぼすことができる。２つの磁気カートリッジ要素は、２つの磁気ハンドル要素によって及ぼされる磁力に吸引されることができる。取り外し可能なかみそりカートリッジは、ハンドルが取り外し可能なかみそりカートリッジに接近し、かつ２つの磁気ハンドル要素が２つの対応する／対向する磁気カートリッジ要素と整列したときに、ハンドルに接続することができる。この構成は、とりわけ、取り外し可能なかみそりカートリッジとハンドルとの迅速、容易、直感的、かつ安全な接続を容易にする。
【００２５】
ハンドルは、例えば、２つの磁気ハンドル要素を含んでもよい。取り外し可能なかみそりカートリッジは、例えば、２つの磁気カートリッジ要素を含んでもよい。一方の磁気ハンドル要素が磁気吸引力を及ぼしてもよく、対応する／対向する磁気カートリッジ要素が磁力に吸引されてもよい。一方の磁気カートリッジ要素が磁気吸引力を及ぼしてもよく、対応する／対向する磁気ハンドル要素が磁力に吸引されてもよい。取り外し可能なかみそりカートリッジは、ハンドルが取り外し可能なかみそりカートリッジに接近し、かつ磁気吸引ハンドル及びカートリッジ要素が磁気吸引カートリッジ及びハンドル要素と整列したときに、ハンドルに接続することができる。この構成は、とりわけ、取り外し可能なかみそりカートリッジとハンドルとの逆接続を防止する。また、この構成は、とりわけ、取り外し可能なかみそりカートリッジとハンドルとの迅速、容易、直感的、かつ安全な接続を容易にする。
【００２６】
少なくとも１つの磁気カートリッジ要素は、取り外し可能なかみそりカートリッジのハウジングに一体化されていてもよい。しかしながら、少なくとも１つの磁気カートリッジ要素は、ハウジングに別個に取り付けられてもよく、又は接合されてもよい。少なくとも１つの磁気カートリッジ要素は、ハウジングの下面から又は取り外し可能なかみそりカートリッジの剃毛面の反対側の表面から延出してもよい。
【００２７】
取り外し可能なかみそりカートリッジはまた、ヒーターバーを含んでいてもよい。ヒーターバーは、アルミニウム、銅、金、鋼、真ちゅう、ニッケル、これらの任意の合金、及びこれらの任意の組み合わせを含むことができる。更に、ヒーターバー上に位置するノッチ内にクリップが位置付けられてもよい。クリップは、良好な熱伝導性を有する任意の金属を含むことができる。クリップは、アルミニウム、銅、金、鋼、真ちゅう、ニッケル、これらの任意の合金、及びこれらの任意の組み合わせを含むことができる。ノッチは、クリップへの熱の伝達を促進することができる（例えば、ヒーターバーはノッチを介してクリップと接触していてもよい）。これにより、熱は、刃の直前に伝達されるだけでなく、刃の両側並びに皮膚係合部材及び／又はガードにも伝達されることができる。更に、刃及び接触クリップは金属を含んでいるので、熱をクリップから刃に伝達することも可能である。この構成は、剃毛ストローク中に皮膚表面に伝達される熱の量を最適化することができる。ヒーターバーの皮膚接触面は、皮膚係合部材及び／又はガードに実質的に隣接して位置付けられてもよい。これにより、ヒーターバーの皮膚接触面、皮膚係合部材、及び／又はガードは全て、剃毛ストローク中にユーザーの皮膚と接触することができる（例えば、全て同一平面上とすることができる）。
【００２８】
取り外し可能なかみそりカートリッジは、制限の間で旋回可能であり、通常は、ハンドルに対して好ましい中立角度位置に向かって付勢されることができる。旋回制限及び付勢は、機械的制限のような当該技術分野において既知の任意の手段によって達成することができる。
【００２９】
剃毛かみそりシステムは電気回路を含んでもよく、該電気回路には、電源（例えば、１つ以上の使い捨て又は再充電可能バッテリなど）によって接触を介して電気が供給される。電気回路及び電源はハンドル内部に位置付けられてもよい。電気回路はスイッチによって閉じることができ、スイッチは、ユーザーがボタンを押したときに作動させることができる。電気回路は、剃毛システム内の追加の機構に電力を供給することができる。電気回路は、例えば、発熱機構、振動機構、及び電流を必要とする任意の他の機構に電力を供給してもよい。ハンドルは発光ダイオード（ＬＥＤ）を含んでもよい。ＬＥＤは、回路への給電がオンにされたか又はオフにされたかをユーザーに示してもよい。ＬＥＤは、ハンドルの透明区域内に配置されてもよく、又はハンドルの開口部を通って延在してもよい。ＬＥＤは、ヒーターバーが温かいかかそれとも温まりつつあるか、ヒーターバーが熱すぎるかどうか、取り外し可能なかみそりカートリッジを交換する必要があること、及び剃毛かみそりシステムの他の特性を示してもよい。
【００３０】
少なくとも１つの磁気ハンドル要素は、上記した力を作用させることによって、少なくとも１つの磁気カートリッジ要素から取り外すことができる。加えて、少なくとも１つの磁気ハンドル要素は、他の好適な機構によって、又は他の好適な機構と力の作用の組み合わせによって、取り外されてもよい。
【００３１】
少なくとも１つの磁気ハンドル要素は、例えば、電気的な取り外しによって少なくとも１つの磁気カートリッジ要素から取り外すことができる。少なくとも１つの磁気ハンドル要素は電磁特性を有してもよい。少なくとも１つの磁気ハンドル要素は、少なくとも１つの磁気ハンドル要素に電流が印加されたときに磁力を示すことができる。少なくとも１つの磁気ハンドル要素は、例えば、ハンドル内部にあり得る電気回路に電気的に接続することができる。電流は、例えば、ハンドル内部に位置し、接触を介して電気回路に電気的に接続する、少なくとも１つの電池によって供給されてもよい。電気回路はスイッチを有してもよく、スイッチは、ユーザーが作動させたときに、少なくとも１つの磁気ハンドル要素に電流を供給する。次に、少なくとも１つの磁気ハンドル要素は、例えば、磁気吸引力を及ぼすことができる。取り外し可能なかみそりカートリッジの少なくとも１つの磁気カートリッジ要素は、少なくとも１つの磁気ハンドル要素によって及ぼされる磁力に吸引されることができる。次に、少なくとも１つの磁気ハンドル要素は、取り外し可能なかみそりカートリッジの少なくとも１つの磁気カートリッジ要素に接続することができる。ユーザーは、２度スイッチを作動させることによって、取り外し可能なかみそりカートリッジを少なくとも１つの磁気ハンドル要素から電気的に取り外すことができる。電流は少なくとも１つの磁気ハンドル要素を通ってそれ以上流れなくなる。少なくとも１つの磁気ハンドル要素は磁気吸引力をそれ以上及ぼさなくなる。少なくとも１つの磁気カートリッジ要素は、少なくとも１つの磁気ハンドル要素とそれ以上接続しなくなる。次に、取り外し可能なかみそりカートリッジをハンドルから取り外すことができる。
【００３２】
少なくとも１つの磁気ハンドル要素は、例えば、機械的な取り外しによって磁気カートリッジ要素から取り外すことができる。少なくとも１つの磁気ハンドル要素は永久磁石性を有してもよい。少なくとも１つの磁気ハンドル要素は、例えば、磁気吸引力を及ぼすことができる。少なくとも１つの磁気カートリッジ要素は、少なくとも１つの磁気ハンドル要素によって及ぼされる磁力に吸引されることができる。次に、少なくとも１つの磁気ハンドル要素は、取り外し可能なかみそりカートリッジの少なくとも１つの磁気カートリッジ要素に接続することができる。少なくとも１つの磁気ハンドル要素は、例えば、機械的取り外し装置の一方の端部に接続されてもよく、スイッチは機械的取り外し装置の他方の端部に接続されてもよい。機械的取り外し装置は、例えばハンドルの近位端部からスイッチまで延在していてもよく、スイッチはハンドルのつかみ部の内部に含まれていてもよい。ユーザーは、スイッチを作動させることによって、取り外し可能なかみそりカートリッジを少なくとも１つの磁気ハンドル要素から機械的に取り外すことができる。次に、機械的取り外し装置は、例えば、少なくとも１つの磁気ハンドル要素上に後退することができる。少なくとも１つの磁気カートリッジ要素上の少なくとも１つの磁気ハンドル要素によって及ぼされる磁気吸引力は、少なくとも１つの磁気カートリッジ要素と接続したままとなるほど強力でなくてもよい。少なくとも１つの磁気カートリッジ要素は、少なくとも１つの磁気ハンドル要素とそれ以上接続しなくなる。次に、取り外し可能なかみそりカートリッジをハンドルから取り外すことができる。
【００３３】
図１を参照すると、剃毛かみそりシステム１０の斜視図が示されている。剃毛かみそりシステム１０は、ハンドル１２と、取り外し可能なかみそりカートリッジ３０とを含む。ハンドル１２は、細長いつかみ部１４と、近位端部１６と、遠位端部１８と、磁気ハンドル要素２０とを含む。磁気ハンドル要素２０はハンドル１２の近位端部１６に一体化され、略湾曲形状を有している。取り外し可能なかみそりカートリッジ３０は、ハウジング３２と、ガード３４と、キャップ３６と、少なくとも１つの刃３８とを含む。取り外し可能なかみそりカートリッジ３０は、ハンドル１２の近位端部１６に対して旋回可能な関係にある。取り外し可能なかみそりカートリッジ３０は、ハンドル１２に対してほぼ横方向である軸線の周りで旋回することができる。取り外し可能なかみそりカートリッジ３０は、磁気ハンドル要素２０の周りで旋回することができる。
【００３４】
図２を参照すると、図１の剃毛かみそりシステム１０の別の斜視図が示されている。剃毛かみそりシステム１０は、ハンドル１２と、取り外し可能なかみそりカートリッジ３０とを含む。ハンドル１２は、細長いつかみ部１４と、近位端部１６と、遠位端部１８と、磁気ハンドル要素２０とを含む。磁気ハンドル要素２０はハンドル１２の近位端部１６に一体化され、略湾曲形状を有している。取り外し可能なかみそりカートリッジ３０は、ハウジング３２と、ガード３４と、キャップ３６と、少なくとも１つの刃３８と、磁気カートリッジ要素４０とを含む。磁気カートリッジ要素４０は略平坦形状であり、取り外し可能なかみそりカートリッジ３０のハウジング３２に付着される。磁気カートリッジ要素４０は、ハウジング３２の、取り外し可能なかみそりカートリッジ３０の剃毛面の反対側の表面に付着される。磁気カートリッジ要素４０は、磁気ハンドル要素２０に吸引力を及ぼすことができる。あるいは、磁気ハンドル要素２０が磁気カートリッジ要素４０に吸引力を及ぼしてもよい。磁気カートリッジ要素４０は磁気ハンドル要素２０と着脱自在に係合されて、取り外し可能なかみそりカートリッジ３０をハンドル１２の近位端部１６に対して、旋回可能な関係で交換可能に固定する。取り外し可能なかみそりカートリッジ３０は、ハンドル１２に対してほぼ横方向である軸線の周りで旋回することができる。取り外し可能なかみそりカートリッジ３０は、磁気ハンドル要素２０の周りで旋回することができる。
【００３５】
図３を参照すると、剃毛かみそりシステム１０の斜視図が示されている。剃毛かみそりシステム１０は、ハンドル１２と、取り外し可能なかみそりカートリッジ３０とを含む。ハンドル１２は、細長いつかみ部１４と、近位端部１６と、遠位端部１８と、磁気ハンドル要素２０とを含む。磁気ハンドル要素２０はハンドル１２の近位端部１６に一体化され、略平坦形状を有している。取り外し可能なかみそりカートリッジ３０は、ハウジング３２と、ガード３４と、キャップ３６と、少なくとも１つの刃３８と、磁気カートリッジ要素４０とを含む。磁気カートリッジ要素４０は略湾曲形状を有し、取り外し可能なかみそりカートリッジ３０のハウジング３２に付着される。磁気カートリッジ要素４０は、取り外し可能なかみそりカートリッジ３０の剃毛面の反対側の表面であるハウジング３２の表面に付着される。磁気カートリッジ要素４０は、磁気ハンドル要素２０に吸引力を及ぼすことができる。あるいは、磁気ハンドル要素２０が磁気カートリッジ要素４０に吸引力を及ぼしてもよい。磁気カートリッジ要素４０は磁気ハンドル要素２０と着脱自在に係合されて、取り外し可能なかみそりカートリッジ３０をハンドル１２の近位端部１６に対して、旋回可能な関係で交換可能に固定する。取り外し可能なかみそりカートリッジ３０は、ハンドル１２に対してほぼ横方向である軸線の周りで旋回することができる。取り外し可能なかみそりカートリッジ３０は、磁気ハンドル要素２０の周りで旋回することができる。
【００３６】
図４を参照すると、剃毛かみそりシステム１０の斜視図が示されている。剃毛かみそりシステム１０は、ハンドル１２と、取り外し可能なかみそりカートリッジ３０とを含む。ハンドル１２は、細長いつかみ部１４と、近位端部１６と、遠位端部１８と、第１の磁気ハンドル要素２２と、第２の磁気ハンドル要素２４とを含む。ハンドル１２の近位端部１６は、第１のアーム５０と、第２のアーム５２とを含む。第１及び第２の磁気ハンドル要素２２、２４は、ハンドル１２の近位端部１６の第１及び第２のアーム５０、５２に一体化される。第１及び第２の磁気ハンドル要素２２、２４は略湾曲形状を有する。取り外し可能なかみそりカートリッジ３０は、ハウジング３２と、ガード３４と、キャップ３６と、少なくとも１つの刃３８と、磁気カートリッジ要素４０とを含む。磁気カートリッジ要素４０は略平坦形状を有し、取り外し可能なかみそりカートリッジ３０のハウジング３２に付着される。磁気カートリッジ要素４０は、取り外し可能なかみそりカートリッジ３０の剃毛面の反対側の表面であるハウジング３２の表面に付着される。磁気カートリッジ要素４０は、磁気ハンドル要素２２、２４に吸引力を及ぼすことができる。あるいは、磁気ハンドル要素２２、２４が磁気カートリッジ要素４０に吸引力を及ぼしてもよい。磁気カートリッジ要素４０は磁気ハンドル要素２２、２４と着脱自在に係合されて、取り外し可能なかみそりカートリッジ３０をハンドル１２の近位端部１６に対して、旋回可能な関係で交換可能に固定する。取り外し可能なかみそりカートリッジ３０は、ハンドル１２に対してほぼ横方向である軸線の周りで旋回することができる。取り外し可能なかみそりカートリッジ３０は、磁気ハンドル要素２２、２４の周りで旋回することができる。
【００３７】
図５を参照すると、剃毛かみそりシステム１０の斜視図が示されている。剃毛かみそりシステム１０は、ハンドル１２と、取り外し可能なかみそりカートリッジ３０とを含む。ハンドル１２は、細長いつかみ部１４と、近位端部１６と、遠位端部１８と、第１の磁気ハンドル要素２２と、第２の磁気ハンドル要素２４とを含む。ハンドル１２の近位端部１６は、第１のアーム５０と、第２のアーム５２とを含む。第１及び第２の磁気ハンドル要素２２、２４は、ハンドル１２の近位端部１６の第１及び第２のアーム５０、５２に一体化される。第１及び第２の磁気ハンドル要素２２、２４は略湾曲形状を有する。取り外し可能なかみそりカートリッジ３０は、ハウジング３２と、ガード３４と、キャップ３６と、少なくとも１つの刃３８と、第１の磁気カートリッジ要素４２と、第２の磁気カートリッジ要素４４とを含む。磁気カートリッジ要素４２、４４は略平坦形状を有し、取り外し可能なかみそりカートリッジ３０のハウジング３２に付着される。磁気カートリッジ要素４２、４４は、ハウジング３２の、取り外し可能なかみそりカートリッジ３０の剃毛面の反対側の表面に付着される。磁気カートリッジ要素４２、４４は、磁気ハンドル要素２２、２４に吸引力を及ぼすことができる。あるいは、磁気ハンドル要素２２、２４が磁気カートリッジ要素４２、４４に吸引力を及ぼしてもよい。あるいは、第１の磁気ハンドル要素２２が第１の磁気カートリッジ要素４２に吸引力を及ぼしてもよく、かつ第２の磁気カートリッジ要素４４が第２の磁気ハンドル要素２４に吸引力を及ぼしてもよい。磁気カートリッジ要素４２、４４は磁気ハンドル要素２２、２４と着脱自在に係合されて、取り外し可能なかみそりカートリッジ３０をハンドル１２の近位端部１６に対して、旋回可能な関係で交換可能に固定する。取り外し可能なかみそりカートリッジ３０は、ハンドル１２に対してほぼ横方向である軸線の周りで旋回することができる。取り外し可能なかみそりカートリッジ３０は、磁気ハンドル要素２２、２４の周りで旋回することができる。
【００３８】
図６を参照すると、剃毛かみそりシステム１０の斜視図が示されている。剃毛かみそりシステム１０は、ハンドル１２と、取り外し可能なかみそりカートリッジ３０とを含む。ハンドル１２は、細長いつかみ部１４と、近位端部１６と、遠位端部１８と、第１の磁気ハンドル要素２２と、第２の磁気ハンドル要素２４とを含む。ハンドル１２の近位端部１６は、第１のアーム５０と、第２のアーム５２とを含む。第１及び第２の磁気ハンドル要素２２、２４は、ハンドル１２の近位端部１６の第１及び第２のアーム５０、５２に一体化される。第１及び第２の磁気ハンドル要素２２、２４は略平坦形状を有する。取り外し可能なかみそりカートリッジ３０は、ハウジング３２と、ガード３４と、キャップ３６と、少なくとも１つの刃３８と、第１の磁気カートリッジ要素４２と、第２の磁気カートリッジ要素４４とを含む。磁気カートリッジ要素４２、４４は略湾曲形状を有し、取り外し可能なかみそりカートリッジ３０のハウジング３２に付着される。磁気カートリッジ要素４２、４４は、ハウジング３２の、取り外し可能なかみそりカートリッジ３０の剃毛面の反対側の表面に付着される。磁気カートリッジ要素４２、４４は、磁気ハンドル要素２２、２４に吸引力を及ぼすことができる。あるいは、磁気ハンドル要素２２、２４が磁気カートリッジ要素４２、４４に吸引力を及ぼしてもよい。あるいは、第１の磁気ハンドル要素２２が第１の磁気カートリッジ要素４２に吸引力を及ぼしてもよく、かつ第２の磁気カートリッジ要素４４が第２の磁気ハンドル要素２４に吸引力を及ぼしてもよい。磁気カートリッジ要素４２、４４は磁気ハンドル要素２２、２４と着脱自在に係合されて、取り外し可能なかみそりカートリッジ３０をハンドル１２の近位端部１６に対して、旋回可能な関係で交換可能に固定する。取り外し可能なかみそりカートリッジ３０は、ハンドル１２に対してほぼ横方向である軸線の周りで旋回することができる。取り外し可能なかみそりカートリッジ３０は、磁気ハンドル要素２２、２４の周りで旋回することができる。
【００３９】
本明細書に開示される寸法及び値は、記載される正確な数値に厳密に限定されるものとして理解されるべきでない。むしろ、特に断らない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【００４０】
相互参照されるか若しくは関連する任意の特許又は出願、並びに本出願がその優先権若しくは利益を主張する任意の特許出願又は特許を含めた、本明細書で引用される全ての文書は、明示的に除外又は別途限定されない限り、その全体が参照により本明細書に組み込まれる。いかなる文書の引用も、それが本明細書で開示若しくは特許請求される任意の発明に対する先行技術であること、又は、それが単独で若しくは任意の他の参照との任意の組み合わせで、任意のそのような発明を教示、提案、若しくは開示することを認めるものではない。更には、本文書における用語のいずれかの意味又は定義が、参照により組み込まれた文書内の同じ用語の意味又は定義と矛盾する限りにおいて、本文書内でその用語に付与される意味又は定義が優先されるものとする。
【００４１】
以上、本発明の特定の諸実施形態を図示、説明したが、本発明の趣旨及び範囲から逸脱することなく他の様々な変更及び改変を行い得る点は当業者には自明であろう。したがって、本発明の範囲内に含まれるそのような変更及び改変はすべて、添付の特許請求の範囲にて網羅するものとする。
【図１】
2017531513.tif 000003
【図２】
2017531513.tif 000004
【図３】
2017531513.tif 000005
【図４】
2017531513.tif 000006
【図５】
2017531513.tif 000007
【図６】
2017531513.tif 000008
【国際調査報告】
2017531513.tif 000009
2017531513.tif 000010
2017531513.tif 000011